(57)【要約】【課題】 本発明はハンディターミナルの防滴構造に係り、特にカバーの防滴を確実に行うことができるカバーの防滴合わせ構造を提供するものである。【解決手段】  筐体（１４）に対し、この筐体（１４）をカバーするカバー（１７）の防滴合わせ構造において、筐体（１４）の外縁の先端に沿って設けられ、少なくとも側面（１５′）が露出するエラストマ等の弾性体（１５）と、カバー（１７）の外縁の先端に沿って設けられ、弾性体（１５）の露出する側面（１５′）と当接する面（１７′）を有する当接部と、を有している。【選択図】図３
2005143138.tif 000002
【特許請求の範囲】
【請求項１】
筐体に対し、該筐体をカバーするカバーの防滴合わせ構造において、
前記筐体の外縁の先端に沿って設けられ、少なくとも側面が露出する弾性体と、
前記カバーの外縁の先端に沿って設けられ、前記弾性体の露出する側面と当接する面を有する当接部と、
を有することを特徴とするカバーの防滴合わせ構造。
【請求項２】
第１のカバーと第２のカバーを係合するカバーの防滴合わせ構造において、
前記第１のカバーの外縁の先端に沿って設けられ、少なくとも側面が露出する弾性体と、
前記第２のカバーの外縁の先端に沿って設けられ、前記弾性体の露出する側面と当接する面を有する当接部と、
を有することを特徴とするカバーの防滴合わせ構造。
【請求項３】
前記弾性体と前記当接部との当接は、面であることを特徴とする請求項１又は２記載のカバーの防滴合わせ構造。
【請求項４】
前記弾性体の露出する側面には、その長手方向に沿って溝が設けられていることを特徴とする請求項１又は２記載のカバーの防滴合わせ構造。
【請求項５】
前記筐体の外縁の先端内側には、所定の高さを有する壁部が該筐体の外縁に沿って形成されていることを特徴とする請求項１又は２記載のカバーの防滴合わせ構造。
【請求項６】
前記壁部は、前記弾性体と一体で形成されていることを特徴とする請求項５記載のカバーの防滴合わせ構造。
【発明の詳細な説明】
【技術分野】
【０００１】
本発明は、携帯用無線機等の各種携帯用機器に係り、特に優れた防滴性を有するカバーの防滴合わせ構造に関する。
【背景技術】
【０００２】
今日、携帯無線、携帯電話等の所謂、ハンディターミナルが広く利用されている。このようなハンディターミナルは屋外で使用することが多く、雨等から機器を保護するため防滴構造となっている。
【０００３】
図５（ａ）は従来のハンディターミナルの防滴構造を説明する図である。先ず、同図（ａ）において、１はハンディターミナルの筐体の外縁を示し、外縁１の先端はＬ字形の断面形状であり、この部分に断面が□形状の弾性体（例えば、ゴム）２を貼着し、外縁１に沿って弾性体２を取り付けている。また、３は上記筐体の一部又は全体をカバーする蓋体（カバー）の外縁先端部を示し、上記筐体の外縁１に当接する部分は突形状である。すなわち、従来のハンディターミナルの防滴構造は、上面が平らな弾性体２に対し、先端が突形状のカバーを接合押圧し弾性体２をカバーの先端部３で押しつぶし外部からの水の侵入を防ぐ構造である。
【発明の開示】
【発明が解決しようとする課題】
【０００４】
上記のように、従来のカバーの防滴合わせ構造ではカバーの先端部３で弾性体２を押しつぶして水の侵入を防ぐ為、確実に水の侵入を防ぐためには正確にカバーの先端部３の突形状を成形する必要がある。
【０００５】
しかしながら、カバーは通常ＡＢＳ等の樹脂で形成されており、突形状を正確に成形することは困難である。この為、図５（ｂ）に示すようにカバーの先端部３の突形状が充分形成できず、雨水等の侵入の原因となる。また、カバーの“そり”や“ねじれ”の為、カバーの先端部３と弾性体２が充分圧接できず、上述と同様雨水等の侵入の原因となっている。
【０００６】
また、上記筐体にカバーを取り付けた後、ネジでカバーを固定するが、従来のカバーの防滴合わせ構造では上述のように防滴機能が不充分である為、多くのネジを使用する必要があった。
【０００７】
本発明の課題は、ハンディターミナルにおいて少ないネジの使用でも雨水等の侵入を確実に防止できるカバーの防滴合わせ構造を提供することである。
【課題を解決するための手段】
【０００８】
本発明は、上記課題を解決する為、筐体に対し、該筐体をカバーするカバーの防滴合わせ構造において、前記筐体の外縁の先端に沿って設けられ、少なくても側面が露出する弾性体と、前記カバーの外縁の先端に沿って設けられ、前記弾性体の露出する側面と当接する面を有する当接部を有するカバーの防滴合わせ構造を提供するものである。また、上記筐体はカバーであっても同様に構成できる。
【０００９】
上記のように構成することで、筐体の外縁の先端に沿って設けられた弾性体の側面と、カバーの外縁の先端に沿って設けられた先端部とが所定幅の面で当接し、一定の圧力がかかる為、ハンディターミナル内部への水の侵入を確実に防止できる。
【００１０】
また、前記弾性体の側面に、例えば弾性体の長手方向に沿って溝を設けることにより、たとえ水が侵入してもこの溝に水が溜まり、ハンディターミナル側に水が侵入することがない。尚、上記溝は１本に限らず、２本以上設けてもよく、２本以上設けることで、更に確実にハンディターミナルへの水の侵入を防止できる。
【００１１】
また、前記筐体の外縁の先端内側には、例えば所定の高さを有する壁部を該筐体の外縁に沿って形成してもよく、該壁部は例えば前記弾性体と一体で形成してもよい。
このように構成することで、たとえ筐体とカバーの接合部に水が溜まった場合でもハンディターミナルへの水の侵入を防止でき、カバーを開けた時でも筐体の内壁が高い構成であり、ハンディターミナルへの水の侵入を確実に阻止できる。
【発明の効果】
【００１２】
本発明によれば、筐体の外縁の先端に沿って設けられた弾性体の側面と、カバーの外縁の先端に沿って設けられた先端部とが所定幅の面で当接し、一定の圧力がかかる為、ハンディターミナル内部への水の侵入を確実に防止できる。
【発明を実施するための最良の形態】
【００１３】
本発明を適用した実施形態について、図面を用いて以下に説明する。
図１は、本発明の第１の実施形態に係るカバーの防滴合わせ構造の構成図である。同図において、４は携帯無線機等のハンディターミナルの筐体の一部であり、筐体の外縁の先端部の断面形状である。したがって、同図に示す断面形状の先端部４がハンディターミナルの、例えば全周に亘って形成されている。また、筐体及びその先端部はＡＢＳで形成されている。
【００１４】
また、先端部４には弾性体としてエラストマ（ゴム）５が形成されている。このエラストマ５の形成は二重成形処理によって形成する。この二重成形処理は、例えば第１の成形工程でエラストマ５が形成される前の先端部４を有する筐体を形成し、第２の成形工程でエラストマ５を注入し、筐体に熱着する。このようにして形成されたエラストマ５は断面形状が“コ”の字状の溝６を有する。
【００１５】
一方、７はカバーの外縁の先端部の断面形状を示し、カバーの先端部７には先端の尖った先尖部８が形成されている。この先尖部８は、カバーをハンディターミナルに設置すると、上記筐体の溝６に嵌入する構造である。また、この先尖部８を含めて先端部７（カバー）はＡＢＳで形成されている。
【００１６】
ここで、上記構成の筐体にカバーを取り付けると、同図（ａ）の断面構成となる。すなわち、カバーの先端部７の先尖部８が筐体の外縁に沿って設けられたエラストマ５の溝６に係合し、同図（ａ）に示すように先尖部８とエラストマ５は３箇所で圧接する。すなわち、エラストマ５の両端部５ａ、５ｂと先尖部８の側面が圧接し（小さな○印で示す圧接点ａ，ｂ）、エラストマ５の溝６の底面５ｃと先尖部８の先端が圧接し（小さな○印で示す圧接点ｃ）、それぞれの圧接点ａ〜ｃでエラストマ５が潰された状態に変形する。
【００１７】
したがって、ハンディターミナルの筐体とカバーの接合部には３箇所の圧接点ａ〜ｃが形成され、外部から侵入する雨水等の水滴１０は３箇所の圧接点ａ〜ｃによって完全に遮断される。例えば、圧接点ａを浸透して水が隙間１１に侵入しても、次の圧接点ｂによって水の侵入を阻止できる。
【００１８】
また、長期の使用によってカバー等に“そり”や“変形”を生じ、または先尖部８の先端の尖った形状が充分形成できない為、同図（ｂ）に示すように圧接点ｃが充分形成できない場合でも、圧接点ａ、ｂは形成されており、雨水等の水滴１０は２箇所の圧接点ａ、ｂによって完全に遮断できる。さらに、たとえ圧接点ａを浸透して水が隙間１２に侵入しても、圧接点ｂによってハンディターミナルへの水の侵入を阻止できる。
【００１９】
以上のように上記実施形態によれば、ハンディターミナルへの水の侵入を完全に防止でき、従ってカバーのネジ止めの箇所も少なくすることができる。
次に、本発明の第２の実施形態を説明する。
【００２０】
図２は本発明の第２の実施形態に係るカバーの防滴合わせ構造の断面図である。この実施形態は、前述の実施形態で説明した図１（ａ）の構成と基本的に同じであるが、前述のエラストマ５の内側（図ではエラストマ５の右側）に、エラストマ５よりも高い壁１３を形成した点が前述の実施形態と異なる。尚、本実施形態の説明上、対応する部材には同一番号を記して説明する。
【００２１】
本実施形態においても、前述の実施形態と同様、カバーの先尖部８をエラストマ５の溝６に係合すると、先尖部８とエラストマ５は３箇所で圧接し、圧接点ａ〜ｃを形成し、外部から侵入する雨水等の水滴１０を３箇所で圧接点ａ〜ｃによって完全に遮断する。
【００２２】
また、上述のように構成することで、たとえ同図に示す隙間１１、１２に水が溜まった場合でもハンディターミナルへの水の侵入を防止できる。すなわち、メンテナンス等のためカバーを開けた時でも壁１３（内壁）が高く形成されているので、隙間１１、１２に溜まった水は外部に流れ落ち、ハンディターミナル内に侵入することがなく、ハンディターミナルへの水の侵入を確実に防止できる。
【００２３】
尚、この壁１３はＡＢＳで構成してもよく、またはエラストマで構成してもよい。エラストマで構成する場合には、上記エラストマ５と同時に一体形成する。
次に、本発明の第３の実施形態を説明する。
【００２４】
図３（ａ）は本発明の第３の実施形態に係るカバーの防滴合わせ構造の断面図である。同図（ａ）において、１４は携帯無線機等のハンディターミナルの筐体の一部であり、筐体の外縁の先端部の断面形状である。同図に示す断面形状の先端部１４がハンディターミナルの全周に亘って形成されている。
【００２５】
また、先端部１４には弾性体としてエラストマ１５が設けられ、このエラストマ１５の配設は二重成形処理に形成されている。また、このエラストマ１５にはその側面に平面部１５′が形成されている。尚、先端部１４はＡＢＳで構成されている。
【００２６】
一方、カバーの先端部１７には平面部１７′が形成され、この平面部１７′はエラストマ１５に形成された平面部１５′と圧接する構成である。尚、この先端部１７もＡＢＳで構成されている。
【００２７】
ここで、上記構成の筐体にカバーを取り付けると、同図（ａ）の断面構成となる。すなわち、カバーの先端部１７の平面部１７′が筐体の外縁に沿って設けられたエラストマ１５に形成された平面部１５′に圧接し、圧接面ｄにおいて先端部１７とエラストマ１５は密接する。この為、外部から侵入する雨水等の水滴１０は圧接面ｄによって完全に遮断され、ハンディターミナルへの水の侵入を阻止する。
【００２８】
尚、長期の使用によってカバー等に“そり”や“変形”が生じても、筐体とカバーの圧接面ｄは広く、ハンディターミナルへの水の侵入を完全に防止できる。
また、本実施形態においても、ハンディターミナルへの水の侵入を完全に防止できるので、カバーのネジ止めの箇所を少なくすることができる。
【００２９】
また、同図（ｂ）に示すように、筐体の内側に所定の高さの壁１８を形成する構成としてもよく、このように構成することで、同図（ｂ）に示す隙間１９に万一水が侵入した場合でもハンディターミナルへの水の侵入を防止できる。すなわち、カバーを開けた時でも筐体の内側に壁１８が形成されているので、隙間１９に溜まった水は外部に流れ落ち、ハンディターミナル内に侵入することがない。
【００３０】
さらに、図４に示すようにエラストマ１５の側面の長手方向に沿って溝２０を設けることにより、たとえ水が圧接面に侵入してもこの溝に侵入した水が溜まり、ハンディターミナル側に水が侵入することを阻止することができる。尚、上記溝２０は１本に限らず、２本、３本、・・・設けてもよく、更に確実にハンディターミナルへの水の侵入を防止することができる。
【図面の簡単な説明】
【００３１】
【図１】第１の実施形態に係るカバーの防滴合わせ構造の構成図である。
【図２】第２の実施形態に係るカバーの防滴合わせ構造の断面図である。
【図３】第３の実施形態に係るカバーの防滴合わせ構造の断面図である。
【図４】エラストマに溝を設けたカバーの防滴合わせ構造の断面図である。
【図５】従来のハンディターミナルの防滴構造を説明する図である。
【符号の説明】
【００３２】
４、５、１４  先端部
５、１５  エラストマ
５ａ、５ｂ  両端部
５ｃ  底面
６  溝
８  先尖部
１０  水滴
１１、１２  隙間
１５′、１７′  平面部
１３、１８  壁
２０  溝
【図１】
2005143138.tif 000003
【図２】
2005143138.tif 000004
【図３】
2005143138.tif 000005
【図４】
2005143138.tif 000006
【図５】
2005143138.tif 000007